(57)【特許請求の範囲】
【請求項１】
一部に開口部が形成され、該開口部内方でキャップ挿脱方向に干渉する位置に爪嵌合リブが形成された筐体と、
前記爪嵌合リブに嵌合してキャップ引き抜き方向に抜け止めされる爪形状の爪部および先端に該爪部を一体に有して前記爪嵌合リブ端面に前記爪部の爪高さより狭く形成された嵌合隙間に入り込む厚さに形成された連結部を有する柔軟性材質からなるキャップ取付部と、前記連結部の後端に一体に形成されて前記開口部を開閉自在に閉塞するキャップ本体とを有するキャップと、
前記キャップ取付け時に、前記爪部が前記爪嵌合リブに対して該爪嵌合リブ側方から回り込んで嵌合する迂回嵌合構造と、
を備えることを特徴とする携帯端末装置。
【請求項２】
前記迂回嵌合構造は、前記キャップ取付部の挿入操作に伴う挿入方向と異なる側方向への該キャップ取付部の弾性的な変形移動により前記爪嵌合リブ側方向から回り込む構造であることを特徴とする請求項１に記載の携帯端末装置。
【請求項３】
前記迂回嵌合構造は、前記爪部が挿入方向において前記爪嵌合リブに干渉する部位で該挿入方向に対して側方向に傾けて形成された傾斜面を含むことを特徴とする請求項２に記載の携帯端末装置。
【請求項４】
前記傾斜面は、前記爪嵌合リブおよび前記爪部の両方に形成されていることを特徴とする請求項３に記載の携帯端末装置。
【発明の詳細な説明】
【技術分野】
【０００１】
この発明は、コネクタ、イヤホンジャック、メモリカード挿抜口等のために筐体の一部に形成された開口部を開閉自在に閉塞するキャップを備える携帯電話機等の携帯端末装置に関し、特に、取外し可能なキャップを筐体内に容易に取付けるための挿入力と簡単に外れないための抜去力との均衡をとることが容易な携帯端末装置に関するものである。
【背景技術】
【０００２】
近年、携帯電話機、ＰＤＡ（Personal Digital Assistants）のような小型情報処理端末、小型音楽再生装置、携帯テレビ等の各種携帯端末装置が出回っている。これらの携帯端末装置では、データ通信、充電等のために外部機器、電源に接続するためのコネクタを備える他、用途に応じて、イヤホンジャック、メモリカード挿抜口等を備えている。これらのコネクタ等は、筐体の一部に形成された開口部によって外部に露出する状態で設けられている。ここで、不使用時には、防水・防塵、デザイン性等の観点から、コネクタ等が直接見えないようにするため、開口部を開閉自在に閉塞するキャップを筐体に取付け、コネクタ等を使用する場合にはキャップを開放させるようにしている（たとえば、特許文献１参照）。
【０００３】
ここで、このようなキャップの取付け方式には、各種の方式があるが、以下に数例を挙げて説明する。第１の方式として、爪構造方式がある。図５は、従来の爪構造方式を示す取付け前の斜視図であり、図６は、取付け後の構造例を示す部分断面図である。爪構造方式は、主に、キャップ１００側に柔軟性材料による爪形状の爪部１０１を設け、２つ割り構造の筐体１１０，１１１のうちの片方の筐体１１０側にはキャップ１００側の爪高さよりも狭い嵌合隙間１１２を残して爪嵌合リブ１１３を設け、キャップ１００の取付け後には爪部１０１が爪嵌合リブ１１３に対して抜け止めされるように嵌合することで抜去力を発生させている。キャップ１００の取付けは、筐体１１１側に内蔵されたコネクタ１１４に対応させて筐体１１０，１１１間に形成された開口部１１５の一部に連続させて段差部１１６部分から爪部１０１側を爪嵌合リブ１１３側に向けて挿入し、嵌合隙間１１２部分ではキャップ１００側または筐体１１０側あるいは双方の弾性変形を利用し互いの嵌合部を乗り越えることで爪部１０１を爪嵌合リブ１１３に嵌合させるものである。このような取付け時の挿入操作を少しでも容易にするための斜面１０２，１１７が爪部１０１、爪嵌合リブ１１３の双方または片方に形成されている。
【０００４】
第２の方式として、回転による取付け方式がある。図７は、従来の回転による取付け方式を示す取付け前の斜視図であり、図８は、取付け途中の様子を示す底面図であり、図９は、取付け後の様子を底面側から示す斜視図である。回転による取付け方式の構造は、２つ割り構造の筐体１２０，１２１のうちの片方の筐体１２０に、キャップ１３０の開閉方向と直交する方向にスリット１２２を形成し、キャップ１３０側にはその抜去力と同じ方向で、スリット１２２と対をなす寸法、形状の固定用の突起１３１を設け、図８に示すように、最終的な取付け方向と垂直に回転させて突起１３１をスリット１２２に嵌合させてから、キャップ１３０をさらに矢印で示すように最終的な取付け方向に回転させて、図９に示すように、組立てる構造である。この時、筐体１２０の内側でスリット１２２周りに突起１２３を設け、キャップ１３０側の突起１３１と嵌合させることで、外れ方向への回転を防止することもある。類似の構造としては、キャップ側にスリットを形成し、筐体側に固定用の突起を設ける構造例もある。特許文献２には、このような第２の方式に類似する取付け方式が開示されている。
【０００５】
第３の方式として、ピン等による固定方式がある。図１０は、従来のピンによる固定方式を示す取付け固定前の斜視図である。ピンによる固定方式は、主に、キャップ１４０の取付け部１４１に孔１４２を形成し、２つ割り構造の筐体１５０側の内部には固定用ピン１５１を設け、装置組立て完了前に、固定用ピン１５１にキャップ１４０の孔１４２をあらかじめ嵌合させておくことで、キャップ１４０を筐体１５０に取付け固定させる方式である。
【０００６】
【特許文献１】特開２００５−４４５４７号公報
【特許文献２】特開２００２−９９１１号公報
【発明の開示】
【発明が解決しようとする課題】
【０００７】
このように、従来の技術では、筐体構造およびデザインの自由度、コスト、リペア性、その他の要求仕様の優先度に応じて第１〜第３の方式を使い分ける工夫をしているが、いずれの方式による構造でも、装置の小型・薄型化に必要なキャップ取付け部の小型・薄型化、キャップ開閉時に容易に外れない抜去力の確保、組立てやすい挿入力の確保、部品精度や組立てバラツキの影響の減少または排除、装置の分解や専用工具を必要としない優れた保守性、さらには、無理な抜去力による破損の防止等について、その全てを同時に満足させるには至っていない。
【０００８】
たとえば、第１の方式のものでは、抜去力が爪嵌合リブ１１３に対する爪部１０１の嵌合量に依存するため、抜去力を確保するためには嵌合量を増やすか爪部１０１の材質硬度を上げる必要がある。ところが、取付け時には爪部１０１が筐体１１０側の嵌合部（嵌合隙間１１２、爪嵌合リブ１１３）を乗り越える構造であるので、抜去力を増加させるために嵌合量や爪部１０１の材質硬度を増加させると、筐体１１０側の嵌合部では爪高さよりも狭い嵌合隙間１１２をキャップ１００や筐体１１０の弾性変形により通過する必要があり、必要な挿入力も増加してしまい、取付けにくくなって装置組立て性やリペア性に悪影響を及ぼす。逆に、挿入力を低下させるために、嵌合量または爪部１０１の材質硬度を減少させると、必然的に抜去力も低下し、キャップ１００の脱落や紛失が問題となる。つまり、第１の方式のものは、抜去力と挿入力とには密接な関連があり、高い抜去力と低い挿入力との両立が容易でない。
【０００９】
特に、図６に示すように、嵌合隙間１１２が爪嵌合リブ１１３の端面と、この端面に対向配置させた回路基板１１８、コネクタ１１４、板状部材１１９等の複数の構成部材とにより形成している場合、嵌合隙間１１２がこれらの構成部品の精度や組立てバラツキ等の影響を受けやすくなり、結果として、キャップ１００の爪部１０１と筐体１１０側の爪嵌合リブ１１３との嵌合量を精密に一定に保つことが困難となり、安定した抜去力や挿入力を確保することが容易でない。また、部品公差と組立てバラツキの管理を厳しく規定して設計・製造を実施するには管理費等が必要となりコスト上昇を招くとともに、抜去力の確保と取付けやすい挿入力の均衡を試作等の実物調査により規定・管理し、部品寸法や形状を何度も調整する作業が発生するため、キャップを適用する携帯端末装置の開発工数が増大してしまう。
【００１０】
また、第２の方式のものは、抜去力と挿入力とが相互に関連しない構造であるため、高い抜去力の確保と低い挿入力の確保とが容易である。しかしながら、図９等に示すように、筐体１２０の外部にキャップ１３０の取付け部１３２が見える構造であり、デザイン性の自由度を損なう。また、回転による取付構造であるため、外観として見える取付け部１３２の形状にも制約が発生し、取付け部１３２の形状の自由度も阻害される。さらには、取付け部には、キャップ１３０の取付け部厚さ、筐体１２０の取付け部厚さおよびキャップ１３０の固定部厚さの寸法を確保する必要があり、小型・薄型化に支障をきたす。また、取付け時に、挿入操作と回転操作という異なる２種類の操作が必要なため、取付け工数も増加してしまう。
【００１１】
さらに、第３の方式のものは、キャップ１４０の取付け部１４１に形成した孔１４２を筐体１５０側に設けた固定用ピン１５１に嵌合させて固定するため、筐体１５０へのキャップ１４０の取付け固定を確実に行うことができ、高い抜去力の確保も容易である。しかしながら、取付けには、２つ割りの筐体を組付ける前にあらかじめ固定用ピン１５１に孔１４２を嵌合させておく必要があり、装置の組立て性や保守性の悪いものである。さらには、キャップ１４０に通常使用を超える無理な抜去力が加えられた場合には、孔１４２が固定用ピン１５１から外れないため、キャップ１４０の取付け部１４１や筐体１５０の固定用ピン１５１が破損してしまう等の不具合を生ずる。
【００１２】
この発明は、上述した従来技術による問題点を解消するためになされたものであり、外観上直接見えず、かつ、取外し可能な爪構造方式をベースとして、キャップ開閉操作時には容易に外れない高い抜去力とキャップ取付け操作を容易にする低い挿入力との両立が可能な携帯端末装置を提供することを目的とする。
【課題を解決するための手段】
【００１３】
上述した課題を解決し、目的を達成するため、請求項１の発明に係る携帯端末装置は、一部に開口部が形成され、該開口部内方でキャップ挿脱方向に干渉する位置に爪嵌合リブが形成された筐体と、前記爪嵌合リブに嵌合してキャップ引き抜き方向に抜け止めされる爪形状の爪部および前記爪嵌合リブ端面に前記爪部の爪高さより狭く形成された嵌合隙間に入り込む厚さに形成されて前記爪部を先端に一体に有する連結部を有する柔軟性材質からなるキャップ取付部と、前記連結部の後端に一体に形成されて前記開口部を開閉自在に閉塞するキャップ本体とを有するキャップと、前記キャップ取付け時に、前記爪部が前記爪嵌合リブに対して該爪嵌合リブ側方から回り込んで嵌合する迂回嵌合構造と、を備えることを特徴とする。
【００１４】
また、請求項２の発明に係る携帯端末装置は、請求項１の発明において、前記迂回嵌合構造は、前記キャップ取付部の挿入操作に伴う挿入方向と異なる側方向への該キャップ取付部の弾性的な変形移動により前記爪嵌合リブ側方向から回り込む構造であることを特徴とする。
【００１５】
また、請求項３の発明に係る携帯端末装置は、請求項２の発明において、前記迂回嵌合構造は、前記爪部が挿入方向において前記爪嵌合リブに干渉する部位で該挿入方向に対して側方向に傾けて形成された傾斜面を含むことを特徴とする。
【００１６】
また、請求項４の発明に係る携帯端末装置は、請求項３の発明において、前記傾斜面は、前記爪嵌合リブおよび前記爪部の両方に形成されていることを特徴とする。
【発明の効果】
【００１７】
請求項１の発明によれば、キャップ取付け時に爪部が爪嵌合リブに対して該爪嵌合リブ側方から回り込んで嵌合する迂回嵌合構造を備えるので、爪部が嵌合隙間を経て一旦爪嵌合リブを乗り越えるように挿入して爪嵌合リブに嵌合させる必要がなく、爪部が嵌合隙間内を通過しないため、通常のキャップ開閉操作では爪部が爪嵌合リブから外れない抜去力を確保するための爪部の嵌合量の設計と、連結部が入り込むだけの低い挿入力を確保するための嵌合隙間の設計とを独立して行うことができ、高い抜去力と低い挿入力とを両立することができるという効果を奏する。また、爪構造方式をベースとしているので、キャップの取付部分が外観上直接見えることがなく、デザイン性の自由度を損なうことがなく、また、通常使用を超える無理な抜去力がキャップに加えられた場合であっても爪嵌合リブに嵌合していた爪部が弾性変形して爪嵌合リブ、嵌合隙間を乗り越えて筐体から取り外されるため、キャップや筐体の破損を防止することもできるという効果を奏する。
【００１８】
また、請求項２の発明によれば、柔軟性材質からなるキャップ取付部の挿入操作に伴う弾性的な変形移動を利用することにより、爪嵌合リブに対して爪部が爪嵌合リブ側方から回り込んで嵌合する迂回嵌合構造を容易に実現することができるという効果を奏する。
【００１９】
また、請求項３の発明によれば、爪部が挿入方向において爪嵌合リブに干渉する部位で該挿入方向に対して側方向に傾けて形成された傾斜面を含む迂回嵌合構造としたので、キャップ取付部を通常通り爪嵌合リブに向けて挿入する挿入操作を行うだけで、傾斜面による爪部と爪嵌合リブとの干渉をガイドとしてキャップ取付部を爪嵌合リブ側方から回り込むように弾性的に変形移動させて嵌合させることができ、取付け工数が増えることなく、取付け操作性を向上させることができるという効果を奏する。
【００２０】
また、請求項４の発明によれば、傾斜面が爪嵌合リブと爪部との両方に形成されているので、キャップ取付部の挿入操作に伴うキャップ取付部の弾性的な変形移動を安定してガイドすることができるという効果を奏する。
【発明を実施するための最良の形態】
【００２１】
以下に添付図面を参照して、この発明に係る携帯端末装置の好適な実施の形態を詳細に説明する。なお、この実施の形態によりこの発明が限定されるものではない。
【実施例】
【００２２】
本実施例は、携帯端末装置として携帯電話機への適用例を示す。図１は、本発明の実施例の携帯電話機を示す外観斜視図である。携帯電話機１は、ヒンジ部２により折り畳み自在に連結された送話側筐体３と受話側筐体４を備える。送話側筐体３は、マイクロフォン等を内蔵した送話部５や、ダイヤルキー、機能キー等の各種操作キー６などを備え、受話側筐体４は、スピーカ等を内蔵した受話部７や液晶表示部８などを備える。
【００２３】
図２は、送話側筐体３の先端側端部の内部構成例を示す縦断側面図であり、図３は、前面筐体を取り外してキャップ取付け前の様子を示す平面図である。掌サイズで矩形扁平形状の送話側筐体３は、図２に示すように、操作キー６等が配設される内面側に位置する前面筐体９と外面となる背面側に位置する背面筐体１０との２つ割り構造からなり、前面筐体９と背面筐体１０とを組合せることにより形成される。前面筐体９は、内部に各種回路部品１１が実装される回路基板１２を備える。回路基板１２は、前面筐体９の先端側端部中央に位置させて実装されたコネクタ１３を備える。このコネクタ１３は、たとえばデータを転送するためのプラグ（不図示）を選択的に差込み接続するためのものである。送話側筐体３は、先端側端部中央においてそれぞれの筐体９，１０に形成した凹部を組合せることにより、コネクタ１３を外部に露出してプラグの差込みを可能とするための扁平な開口部１４を備える。
【００２４】
ここで、本実施例の携帯電話機１は、開口部１４を開閉自在に閉塞するキャップ２０と、背面筐体１０内に形成されてキャップ２０を抜け止めするための爪嵌合リブ３０とを備える。キャップ２０は、エラストマー等の変形しやすい柔軟性を有する樹脂材からなり、一体に形成されたキャップ本体２１とキャップ取付部２２とを備える。キャップ本体２１は、開口部１４を開閉自在に閉塞するために開口部１４の形状、大きさに対応させて形成された矩形扁平形状のもので、コネクタ１３部分等に軽く嵌合して閉塞状態に保持するためのリブ２３と、少し凹ませて形成された開閉操作部２４とを有し、キャップ取付部２２側とは折り曲げ・展開自在な薄肉構造のヒンジ部２５により連結されている。なお、ヒンジ部２４は、図２に示すように略９０度の折り曲げ状態を基本に形成されていても、図３に示すように展開状態を基本に形成されていてもよい。また、キャップ取付部２２は、キャップ本体２１に比べて幅狭に形成されてヒンジ部２４によってキャップ本体２１の幅方向中央の下端部から突出するもので、平坦形状の連結部２６と連結部２６の先端に下向き爪形状に一体に形成された爪部２７とからなる。
【００２５】
また、爪嵌合リブ３０は、背面筐体１０の開口部１４よりも内方でキャップ挿脱方向に干渉する幅方向中央位置に位置させて幅方向に爪部２７と略同一幅の平板形状をなすように一体に形成されたもので、爪部２７がキャップ引き抜き方向に抜け止めされるように嵌合する嵌合面３０ａを内面側に有する。ここで、爪部２７とヒンジ部２４との間の長さは、開口部１４と爪嵌合リブ３０の嵌合面３０ａとの間の距離以上とされている。なお、背面筐体１０側の開口部１４部分の爪嵌合リブ３０に対応する幅方向中央位置には、キャップ取付部２２の挿入操作をガイドするために凹部１４ａが一段低く形成されている。また、爪嵌合リブ３０の端面とこの爪嵌合リブ３０の端面に対向配置させたコネクタ１３との間には嵌合隙間３１を有する。コネクタ１３は、この嵌合隙間３１の隙間間隔を所望の値に設定調整するための他部材である平板状の間隔調整部材３２を有する。ここで、嵌合隙間３１は、爪部２７の爪高さよりも狭く、かつ、連結部２６部分がスライド自在に入り込み得る間隔に形成されている。
【００２６】
ここで、本実施例の携帯電話機１は、送話側筐体３に対するキャップ２０の取付け時に、爪部２７が爪嵌合リブ３０に対してこの爪嵌合リブ３０の側方から回り込んで嵌合面３０ａに嵌合する迂回嵌合構造４０を備える。この迂回嵌合構造４０は、キャップ取付部２２の挿入操作に伴う挿入方向および嵌合方向と異なる側方向へのキャップ取付部２２の弾性的な変形移動により爪嵌合リブ３０の側方向から回り込む構造であり、本実施例では、キャップ取付部２２が有する弾性的に変形移動する柔軟性と、挿入操作時にキャップ取付部２２を強制的に変形移動させるための所定の傾斜面とを利用する構造とされている。傾斜面は、爪部２７の先端側が挿入方向において爪嵌合リブ３０の突き当て面３０ｂに干渉する部位で挿入方向に対して側方向（すなわち、挿入方向および嵌合方向に直交する方向）に傾けて形成されたもので、本実施例では、爪部２７の先端面に形成された傾斜面２７ａと、爪嵌合リブ３０の突き当て面３０ｂに形成された傾斜面３０ｃとを有する。これらの傾斜面２７ａ，３０ｃは、図３に示すように、同一方向に傾斜させて左右方向（リブ幅方向）の異なる側に左右半分ずつ形成され、幅方向に見たこれらの傾斜面２７ａ，３０ｃの境が幅方向中心線上で連続するように形成されている。なお、傾斜面２７ａ，３０ｃの境は幅方向に見て他方の傾斜面３０ｃ，２７ａにオーバーラップするように形成されていてもよい。また、爪部２７と爪嵌合リブ３０とのいずれか一方のみに傾斜面を形成するようにしてもよい。
【００２７】
次に、送話側筐体３に対するキャップ２０の取付け操作について説明する。図４は、キャップ２０の取付け操作時の迂回嵌合構造４０の作用を操作順に示す平面図である。まず、開口部１４の凹部１４ａおよび間隔調整部材３２とをガイドとして、図４（ａ）に示すように、キャップ取付部２２を爪嵌合リブ３０に向けて挿入する。この挿入操作に伴い、爪部２７の先端側がキャップ挿脱方向に干渉する位置に形成された爪嵌合リブ３０の突き当て面３０ｂに突き当たるが、爪部２７の爪高さは嵌合隙間３１の間隔よりも十分に高いので、爪部２７が嵌合隙間３１内に入り込むことはない。キャップ取付部２２をさらに内方に挿入させると、傾斜面２７ａ，３０ｃ同士も突き当たる状態となるように柔軟性材質からなるキャップ取付部２２側が傾斜面２７ａ，３０ｃの傾き方向に従い強制的に爪嵌合リブ３０の側方、ここでは左側方に変形移動を開始する。図４（ｂ）は、傾斜面２７ａ，３０ｃ同士が突き当たってキャップ取付部２２が左側方に変形移動している様子を示す。この際、本実施例では、傾斜面２７ａ，３０ｃの境が幅方向に見て連続（または、オーバーラップ）しているので、爪部２７の先端側が爪嵌合リブ３０の突き当て面３０ｂに突き当たった時点からスムーズに傾斜面２７ａ，３０ｃ同士も突き当たる状態に移行することとなり、キャップ取付部２２の左側方への変形移動を確実かつ円滑に開始させることができる。
【００２８】
キャップ取付部２２をさらに内方に挿入させると、図４（ｃ）に示すように、傾斜面２７ａ，３０ｃ同士の突き当たりがなくなる位置までキャップ取付部２２が爪嵌合リブ３０の左側方に大きく変形移動する。そして、傾斜面２７ａ，３０ｃ同士の突き当たりがなくなると、図４（ｄ）に示すように、キャップ取付部２２の弾性的な復元力により、爪部２７が爪嵌合リブ３０の左側方から回り込んで嵌合面３０ａに嵌合する。この際、キャップ取付部２２の連結部２６も追従して嵌合隙間３１に対して左側方から入り込み、キャップ取付部２２は変形のない状態に復元する。これにより、キャップ取付部２２の浮上りが防止された状態で爪部２７と爪嵌合リブ３０との嵌合状態が得られる。その後、連結部２６が嵌合隙間３１に入り込んだ状態でキャップ取付部２２を押し込める位置まで挿入させ、キャップ本体２１を開口部１４に対して閉塞状態とすることにより、送話側筐体３に対するキャップ２０の取付けが完了する。
【００２９】
そして、携帯電話機１の使用時において、コネクタ１３にソケットを差し込むことが必要になった場合には、開閉操作部２４に指先をかけてキャップ本体２１を開放させることで開口部１４を開放させる操作を行えばよい。この際、コネクタ１３に対するソケットの差し込み操作を行いやすくするため、爪部２７が爪嵌合リブ３０の嵌合面３０ａに嵌合する位置までキャップ取付部２２を引き出すようにしてもよい。
【００３０】
上述してきたように、本実施例では、送話側筐体３に対するキャップ２０の取付け時に、爪部２７が爪嵌合リブ３０の嵌合面３０ａに対してこの爪嵌合リブ３０の側方から回り込んで嵌合する迂回嵌合構造４０を備えるので、爪部２７が嵌合隙間３１を経て一旦爪嵌合リブ３０を乗り越えるように挿入して爪嵌合リブ３０に嵌合させる必要がなく、爪部２７が嵌合隙間３１内を通過しないため、通常のキャップ開閉操作では爪部２７が爪嵌合リブ３０の嵌合面３０ａから外れない抜去力を確保するための爪部２７の嵌合量の設計と、連結部２６が入り込むだけの低い挿入力を確保するための嵌合隙間３１の設計とを独立して行うことができ、高い抜去力と低い挿入力とを両立することができる。また、従来の第１の方式として示したような爪構造方式をベースとしているので、キャップ２７の取付部分が携帯電話機１の外観上直接見えることがなく、デザイン性の自由度を損なうこともない。また、何らかの原因で通常使用を超える無理な抜去力がキャップ２０に加えられた場合であっても、爪嵌合リブ３０の嵌合面３０ａに嵌合していた爪部２７が自身の有する柔軟性により弾性変形して爪嵌合リブ３０、嵌合隙間３１を乗り越えて送話側筐体３から取り外される取外し可能な構造であり、キャップ２０や爪嵌合リブ３０あるいはその周辺構造物の破損を防止することもできる。さらには、装置（筐体９，１０）の分解や専用工具を必要とせずにキャップ２０の取付けを行うこともできる。
【００３１】
特に、本実施例では、柔軟性材質からなるキャップ取付部２２の挿入操作に伴う弾性的な変形移動を利用することにより、爪嵌合リブ３０の嵌合面３０ａに対して爪部２７が爪嵌合リブ３０の側方から回り込んで嵌合する迂回嵌合構造４０を容易に実現することができる。さらには、爪部２７が挿入方向において爪嵌合リブ３０に干渉する部位でこの挿入方向に対して側方向に傾けて形成された傾斜面２７ａ，３０ｃを含む迂回嵌合構造４０としているので、キャップ取付部２２を通常通り爪嵌合リブ３０に向けて挿入する挿入操作を行うだけで、傾斜面２７ａ，３０ｃによる爪部２７と爪嵌合リブ３０の突き当て面３０ｂとの干渉をガイドとしてキャップ取付部２２を爪嵌合リブ３０の側方から回り込むように強制的かつ弾性的に変形移動させて嵌合させることができ、取付け工数が増えることなく、取付け操作性を向上させることができる。特に、傾斜面２７ａ，３０ｃが爪部２７と爪嵌合リブ３０との両方に形成されているので、キャップ取付部２２の挿入操作に伴うキャップ取付部２２の強制的かつ弾性的な変形移動を安定してガイドすることができる。
【００３２】
なお、本実施例では、携帯電話機１のコネクタ１３部分用の開口部１４を閉塞するためのキャップ２０への適用例として説明したが、本発明はこれに限定されるものではなく、ＰＤＡ（Personal Digital Assistants）のような小型情報処理端末、小型音楽再生装置、携帯テレビ等の他の各種携帯端末装置の場合にも適用することができ、さらには、イヤホンジャック、メモリカード挿抜口等のための開口部を閉塞するためのキャップの場合にも適用することができる。
【００３３】
（付記１）一部に開口部が形成され、該開口部内方でキャップ挿脱方向に干渉する位置に爪嵌合リブが形成された筐体と、
前記爪嵌合リブに嵌合してキャップ引き抜き方向に抜け止めされる爪形状の爪部および先端に該爪部を一体に有して前記爪嵌合リブ端面に前記爪部の爪高さより狭く形成された嵌合隙間に入り込む厚さに形成された連結部を有する柔軟性材質からなるキャップ取付部と、前記連結部の後端に一体に形成されて前記開口部を開閉自在に閉塞するキャップ本体とを有するキャップと、
前記キャップ取付け時に、前記爪部が前記爪嵌合リブに対して該爪嵌合リブ側方から回り込んで嵌合する迂回嵌合構造と、
を備えることを特徴とする携帯端末装置。
【００３４】
（付記２）前記迂回嵌合構造は、前記キャップ取付部の挿入操作に伴う挿入方向と異なる側方向への該キャップ取付部の弾性的な変形移動により前記爪嵌合リブ側方向から回り込む構造であることを特徴とする付記１に記載の携帯端末装置。
【００３５】
（付記３）前記迂回嵌合構造は、前記爪部が挿入方向において前記爪嵌合リブに干渉する部位で該挿入方向に対して側方向に傾けて形成された傾斜面を含むことを特徴とする付記２に記載の携帯端末装置。
【００３６】
（付記４）前記傾斜面は、前記爪嵌合リブまたは前記爪部の一方に形成されていることを特徴とする付記３に記載の携帯端末装置。
【００３７】
（付記５）前記傾斜面は、前記爪嵌合リブおよび前記爪部の両方に形成されていることを特徴とする付記３に記載の携帯端末装置。
【００３８】
（付記６）前記爪嵌合リブおよび前記爪部の両方の傾斜面は、該傾斜面の境がリブ幅方向に連続し、または、オーバーラップするように形成されていることを特徴とする付記５に記載の携帯端末装置。
【００３９】
（付記７）前記爪嵌合リブおよび前記爪部の両方の傾斜面は、前記爪嵌合リブおよび前記爪部において同一方向に傾斜させてリブ幅方向の異なる側に半分ずつ形成されていることを特徴とする付記５または６に記載の携帯端末装置。
【００４０】
（付記８）前記嵌合隙間は、前記爪嵌合リブ端面と、前記筐体に固定されて該爪嵌合リブ端面に対して対向配置された他部材とにより形成されていることを特徴とする付記１〜７のいずれか一つに記載の携帯端末装置。
【産業上の利用可能性】
【００４１】
以上のように、本発明にかかる携帯端末装置は、携帯端末装置の筐体の一部に形成された開口部を閉塞するキャップに有用であり、特に、爪構造方式のキャップを取付ける場合に適している。
【図面の簡単な説明】
【００４２】
【図１】本発明の実施例の携帯電話機を示す外観斜視図である。
【図２】送話側筐体の先端側端部の内部構成例を示す縦断側面図である。
【図３】前面筐体を取り外してキャップ取付け前の様子を示す平面図である。
【図４】キャップの取付け操作時の迂回嵌合構造の作用を操作順に示す平面図である。
【図５】従来の爪構造方式を示す取付け前の斜視図である。
【図６】取付け後の構造例を示す部分断面図である。
【図７】従来の回転による取付け方式を示す取付け前の斜視図である。
【図８】取付け途中の様子を示す底面図である。
【図９】取付け後の様子を底面側から示す斜視図である。
【図１０】従来のピンによる固定方式を示す取付け固定前の斜視図である。
【符号の説明】
【００４３】
１    携帯電話機
３    送話側筐体
１０    背面筐体
１４    開口部
２０    キャップ
２１    キャップ本体
２２    キャップ取付部
２６    連結部
２７    爪部
２７ａ  傾斜面
３０    爪嵌合リブ
３０ｃ  傾斜面
３１  嵌合隙間
３２  間隔調整部材
４０  迂回嵌合構造
【図１】
0004491393.tif 000002
【図２】
0004491393.tif 000003
【図３】
0004491393.tif 000004
【図４】
0004491393.tif 000005
【図５】
0004491393.tif 000006
【図６】
0004491393.tif 000007
【図７】
0004491393.tif 000008
【図８】
0004491393.tif 000009
【図９】
0004491393.tif 000010
【図１０】
0004491393.tif 000011